(57)【要約】      （修正有）【課題】線形領域で高精度に動作する差動増幅回路及びこの差動増幅回路を用いた液晶ディスプレイドライバを提供する。【解決手段】差動増幅回路は、入力電圧Ｖ１がゲート端子に与えられるトランジスタＭ１及びＭ２と、トランジスタＭ１のソース端子にドレイン端子が接続されるトランジスタＭ３、トランジスタＭ３のゲート端子に入力電圧Ｖ１を与えるか否か切り替えるスイッチＳ１、トランジスタＭ３のゲート端子に入力電圧Ｖ２を与えるか否か切り替えるスイッチＳ２、及びトランジスタＭ２のソース端子にドレイン端子が接続され、ゲート端子に入力電圧Ｖ３が与えられ、ソース端子がトランジスタＭ３のソース端子と接続されるトランジスタＭ４をそれぞれ有する複数の差動対Ｄ１〜Ｄ４と、差動対Ｄ１〜Ｄ４のトランジスタＭ３、Ｍ４のソース端子に電流を供給する電流源Ｉ１と、を備える。【選択図】図１
2011135157.tif 000002
【特許請求の範囲】
【請求項１】
第１の入力電圧がゲート端子に与えられ、導電型が同じである第１のトランジスタ及び第２のトランジスタと、
前記第１のトランジスタのソース端子にドレイン端子が接続され、前記第１及び第２のトランジスタと同じ導電型である第３のトランジスタ、前記第３のトランジスタのゲート端子に前記第１の入力電圧を与えるか否か切り替える第１のスイッチ、前記第３のトランジスタの前記ゲート端子に第２の入力電圧を与えるか否か切り替える第２のスイッチ、及び前記第２のトランジスタのソース端子にドレイン端子が接続され、ゲート端子に第３の入力電圧が与えられ、ソース端子が前記第３のトランジスタのソース端子と接続され、前記第１乃至第３のトランジスタと同じ導電型である第４のトランジスタをそれぞれ有する複数の差動対と、
前記複数の差動対の前記第３のトランジスタのソース端子及び前記第４のトランジスタのソース端子に電流を供給する電流源と、
を備える差動増幅回路。
【請求項２】
前記第１及び第２のトランジスタがＮＭＯＳトランジスタである場合、前記第１の入力電圧は前記第２の入力電圧より低く、前記第１及び第２のトランジスタがＰＭＯＳトランジスタである場合、前記第１の入力電圧は前記第２の入力電圧より高いことを特徴とする請求項１に記載の差動増幅回路。
【請求項３】
前記第１及び第２のトランジスタのドレイン端子に接続されたアクティブロードトランジスタと、
前記第１のトランジスタのドレイン端子に接続され、出力端子を有する出力段と、
をさらに備え、
前記第４のトランジスタの前記ゲート端子が前記出力端子に接続されたボルテージフォロワ構成であることを特徴とする請求項１又は２に記載の差動増幅回路。
【請求項４】
前記出力端子と前記第１のトランジスタの前記ソース端子との間に設けられた位相補償容量をさらに備えることを特徴とする請求項３に記載の差動増幅回路。
【請求項５】
複数の電圧を出力するデジタルアナログ変換器と、
前記複数の電圧のうちいずれか２つを選択する選択スイッチ回路と、
請求項１乃至４のいずれかに記載の差動増幅回路を有し、前記選択された２つの電圧が供給され、当該２つの電圧の間の電圧値となる電圧を生成し、液晶ディスプレイパネルに設けられる複数の液晶セルに前記生成した電圧を印加するバッファアンプと、
を備える液晶ディスプレイドライバ。
【発明の詳細な説明】
【技術分野】
【０００１】
本発明は、差動増幅回路及び液晶ディスプレイドライバに関するものである。
【背景技術】
【０００２】
複数の差動対を有し、各差動対の入力端子が２つの入力電圧のいずれかと接続されるように切り替えることで、２つの入力電圧の間の電圧値を増幅回路に与えるＤＡＣ（デジタルアナログ変換器）付増幅回路が提案されている（例えば特許文献１参照）。例えば、２つの入力電圧Ｖ１、Ｖ２（Ｖ１＜Ｖ２とする）が与えられ、増幅回路に電圧値Ｖ１＋（Ｖ２−Ｖ１）／２を入力したい場合には、Ｖ１とＶ２の影響が半々になるように、すなわち電圧Ｖ１が入力される差動対と電圧Ｖ２が入力される差動対が１対１となるように制御する。このような制御を行うことで、２つの入力電圧間の値を補完することができる。
【０００３】
しかし、差動対が飽和領域で動作するため、差動対の非線形性から生じる歪により、差動対の比の通りに２つの入力電圧間の値が補完できず、ＤＡＣ特性が劣化するという問題があった。特に２つの入力電圧の差分が大きいほど差動対の非線形性の影響は大きくなり、動作精度が低下した。
【０００４】
また、この差動対の非線形性の影響を小さくするために非線形性を補正する回路を追加すると、回路面積や消費電流が増加するという問題があった。
【先行技術文献】
【特許文献】
【０００５】
【特許文献１】特開２００６−１９７５３２号公報
【発明の概要】
【発明が解決しようとする課題】
【０００６】
本発明は、線形領域で高精度に動作する差動増幅回路及びこの差動増幅回路を用いた液晶ディスプレイドライバを提供することを目的とする。
【課題を解決するための手段】
【０００７】
本発明の一態様による差動増幅回路は、第１の入力電圧がゲート端子に与えられ、導電型が同じである第１のトランジスタ及び第２のトランジスタと、前記第１のトランジスタのソース端子にドレイン端子が接続され、前記第１及び第２のトランジスタと同じ導電型である第３のトランジスタ、前記第３のトランジスタのゲート端子に前記第１の入力電圧を与えるか否か切り替える第１のスイッチ、前記第３のトランジスタの前記ゲート端子に第２の入力電圧を与えるか否か切り替える第２のスイッチ、及び前記第２のトランジスタのソース端子にドレイン端子が接続され、ゲート端子に第３の入力電圧が与えられ、ソース端子が前記第３のトランジスタのソース端子と接続され、前記第１乃至第３のトランジスタと同じ導電型である第４のトランジスタをそれぞれ有する複数の差動対と、前記複数の差動対の前記第３のトランジスタのソース端子及び前記第４のトランジスタのソース端子に電流を供給する電流源と、を備えるものである。
【０００８】
本発明の一態様による液晶ディスプレイドライバは、複数の電圧を出力するデジタルアナログ変換器と、前記複数の電圧のうちいずれか２つを選択する選択スイッチ回路と、前記差動増幅回路を有し、前記選択された２つの電圧が供給され、当該２つの電圧の間の電圧値となる電圧を生成し、液晶ディスプレイパネルに設けられる複数の液晶セルに前記生成した電圧を印加するバッファアンプと、を備えるものである。
【発明の効果】
【０００９】
本発明によれば、線形領域で高精度に動作することができる。
【図面の簡単な説明】
【００１０】
【図１】本発明の第１の実施形態に係る差動増幅回路の概略構成図である。
【図２】本発明の第２の実施形態に係る増幅回路の概略構成図である。
【図３】本発明の第３の実施形態に係る増幅回路の概略構成図である。
【図４】本発明の第４の実施形態に係る液晶表示装置の概略構成図である。
【図５】同第４の実施形態に係るカラムドライバの概略構成図である。
【発明を実施するための形態】
【００１１】
以下、本発明の実施の形態を図面に基づいて説明する。
【００１２】
（第１の実施形態）図１に本発明の第１の実施形態に係る差動増幅回路の概略構成を示す。差動増幅回路は、トランジスタＭ１、Ｍ２、差動対Ｄ１〜Ｄ４、及び電流源Ｉ１を備える。差動対Ｄ１はトランジスタＭ３、Ｍ４、スイッチＳ１、Ｓ２を有する。差動対Ｄ２〜Ｄ４は差動対Ｄ１と同様の構成になっている。差動対Ｄ１〜Ｄ４は並列に設けられている。トランジスタＭ１〜Ｍ４は同じ導電型であり、ここではＮＭＯＳトランジスタであるとする。
【００１３】
トランジスタＭ１のドレイン端子は出力端子Ｔ１に接続され、ソース端子は差動対Ｄ１〜Ｄ４内のトランジスタＭ３のドレイン端子に接続される。また、トランジスタＭ２のドレイン端子は出力端子Ｔ２に接続され、ソース端子は差動対Ｄ１〜Ｄ４内のトランジスタＭ４のドレイン端子に接続される。トランジスタＭ１、Ｍ２のゲート端子には、入力電圧Ｖ１が与えられる。
【００１４】
差動対Ｄ１〜Ｄ４内のトランジスタＭ３のソース端子及びトランジスタＭ４のソース端子は共に電流源Ｉ１に接続される。電流源Ｉ１は、トランジスタＭ３、Ｍ４の共通ソース端子に電流を供給する。トランジスタＭ３のゲート端子は、スイッチＳ１を介して入力電圧Ｖ１を与えるか、又はスイッチＳ２を介して入力電圧Ｖ２を与えるかを切り替えることができる。トランジスタＭ４のゲート端子は電圧Ｖ３が与えられる。差動対Ｄ１〜Ｄ４内のスイッチＳ１、Ｓ２のオンオフ制御は図示しない制御部により行われる。
【００１５】
電圧Ｖ１、Ｖ２、Ｖ３が近い値である場合、差動対Ｄ１〜Ｄ４内のトランジスタＭ３及びＭ４のソース電圧は、トランジスタＭ３から決定されるソース電圧（電圧Ｖ１（又はＶ２）からトランジスタＭ３のゲートソース間電圧だけ降下した値）と、トランジスタＭ４から決定されるソース電圧（電圧Ｖ３からトランジスタＭ４のゲートソース間電圧だけ降下した値）のうち、高い方の電圧が支配的になるように決定される。
【００１６】
トランジスタＭ３、Ｍ４のドレイン電圧は、トランジスタＭ１、Ｍ２のソース電圧により決定される。トランジスタＭ１、Ｍ２のソース電圧は、トランジスタＭ１、Ｍ２のゲート電圧である入力電圧Ｖ１から、トランジスタＭ１、Ｍ２のゲートソース間電圧だけ降下した値である。
【００１７】
このような条件下では差動対Ｄ１〜Ｄ４のトランジスタＭ３、Ｍ４は、ドレインソース間電圧が微小となるため、線形領域で動作する。
【００１８】
差動対Ｄ１〜Ｄ４内のトランジスタＭ３、Ｍ４が線形領域で動作している時に、差動対Ｄ１〜Ｄ４内のトランジスタＭ３のゲート端子に与えられる電圧をスイッチＳ１、Ｓ２を用いて入力電圧Ｖ１、Ｖ２の一方に切り替えることで、出力端子Ｔ１、Ｔ２からの出力電流Ｉ０＋、Ｉ０−の値を変えることができる。具体的には、トランジスタＭ３のゲート端子に電圧Ｖ１が与えられている差動対の数と、トランジスタＭ３のゲート端子に電圧Ｖ２が与えられている差動対の数との比に応じて、出力電流Ｉ０＋、Ｉ０−は変化する。
【００１９】
入力電圧Ｖ１、Ｖ２が出力電流Ｉ０＋、Ｉ０−に与える影響を変化させることができるため、この回路は、スイッチＳ１、Ｓ２の制御に応じて入力電圧Ｖ１とＶ２の間の値を離散的に取る電圧値と、電圧Ｖ３とを比較するような差動増幅回路として動作する。トランジスタＭ３、Ｍ４は線形領域で動作しており、飽和領域で動作しているトランジスタを使用する場合よりも、線形に動作する入力電圧範囲を大きく取ることできるため、入力電圧Ｖ１、Ｖ２の電圧差が大きい場合でも、精度良く動作することができる。また、差動対の非線形性を補正する回路を追加する必要がないため、回路面積や消費電流の増加を防止できる。
【００２０】
入力電圧Ｖ１が入力電圧Ｖ２より高く、差動対Ｄ１〜Ｄ４のいくつかのトランジスタＭ３のゲート端子に電圧Ｖ２が与えられている場合、トランジスタＭ３、Ｍ４のソース電圧は、電圧Ｖ２からトランジスタＭ３、Ｍ４のゲートソース間電圧だけ降下した電圧となり、トランジスタＭ３、Ｍ４のドレイン電圧は電圧Ｖ１からトランジスタＭ１、Ｍ２のゲートソース間電圧だけ降下した電圧となる。
【００２１】
従って、トランジスタＭ３、Ｍ４のドレインソース間電圧はＶ１−Ｖ２となり、この電圧値がトランジスタＭ３、Ｍ４のドレインソース飽和電圧を超えた場合、トランジスタＭ３、Ｍ４は飽和領域で動作する。そのため、線形に動作する入力電圧範囲が減少し、電圧Ｖ１とＶ２の電圧差を大きくできなくなる。
【００２２】
一方、入力電圧Ｖ１が入力電圧Ｖ２より低い場合は、上記のようなトランジスタＭ３、Ｍ４のドレインソース間電圧がドレインソース飽和電圧を超える状況は発生しない。線形に動作する入力電圧範囲を拡大できるため、電圧Ｖ１とＶ２の電圧差が大きい場合も、精度良く動作することができる。従って、差動対Ｄ１〜Ｄ４内のトランジスタＭ３、Ｍ４をより確実に線形領域で動作させることが可能となるため、入力電圧Ｖ１は、入力電圧Ｖ２より低い電圧とすることが好ましい。
【００２３】
上記実施形態では、トランジスタＭ１〜Ｍ４がＮＭＯＳトランジスタの場合を例に説明を行ったが、トランジスタＭ１〜Ｍ４をＰＭＯＳトランジスタにしてもよい。その場合、トランジスタＭ１、Ｍ２のゲート端子には、入力電圧Ｖ１、Ｖ２のうち、高電圧の方が与えられる。
【００２４】
上記実施形態では差動対が４つ設けられた構成について説明したが、差動対は複数あれば良く、入力電圧Ｖ１、Ｖ２と、生成したい電圧値に基づいて差動対の数が決定される。
【００２５】
（第２の実施形態）図２に本発明の第２の実施形態に係る増幅回路の概略構成を示す。この増幅回路は、図１に示す上記第１の実施形態に係る差動増幅回路を入力段として使用し、トランジスタＭ５、Ｍ６からなるアクティブロード（能動負荷）と、トランジスタＭ７及び電流源Ｉ２からなる出力段によりＡ級出力段を有する。
【００２６】
入力段として使用される差動増幅回路は、２つの差動対Ｄ１、Ｄ２を有する。図２におけるトランジスタＭ３１、Ｍ３２が、図１におけるトランジスタＭ３に対応する。同様に、図２におけるトランジスタＭ４１、Ｍ４２が、図１におけるトランジスタＭ４に対応し、図２におけるスイッチＳ１１、Ｓ２１が図１におけるスイッチＳ１に対応し、図２におけるスイッチＳ２１、Ｓ２２が図１におけるスイッチＳ２に対応する。
【００２７】
トランジスタＭ５のドレイン端子はトランジスタＭ１のドレイン端子及びトランジスタＭ７のゲート端子に接続される。トランジスタＭ６のドレイン端子は、トランジスタＭ２のドレイン端子、トランジスタＭ５及びＭ６のゲート端子に接続される。トランジスタＭ７のソース端子はトランジスタＭ５及びＭ６のソース端子に接続され、ドレイン端子は増幅回路の出力端子Ｔ０、電流源Ｉ２、トランジスタＭ４１及びＭ４２のゲート端子に接続される。
【００２８】
このような構成にすることで、図２に示す増幅回路は、２つの入力端子を持つボルテージフォロワ構成となる。通常のＡ級出力段を用いた増幅回路を有するボルテージフォロワ構成は、入力電圧に対し、出力電圧がほぼ等しくなる。本実施形態に係る増幅回路は、差動対Ｄ１、Ｄ２内のスイッチＳ１１、Ｓ２１、Ｓ１２、Ｓ２２の接続条件に応じて、以下のような出力電圧Ｖ０を得ることできる。
【００２９】
まず、差動対Ｄ１、Ｄ２内のトランジスタＭ３１、Ｍ３２のゲート端子の両方共に、電圧Ｖ１又はＶ２の一方が与えられる場合（スイッチＳ１１及びＳ１２がオン、又はスイッチＳ２１及びＳ２２がオンの場合）について考える。
【００３０】
この場合、差動対Ｄ１と差動対Ｄ２の入力端子の接続条件は等しくなるため、入力端子が１つである通常のボルテージフォロワに近い構成となる。従って、スイッチＳ１１及びＳ１２がオンの時は、出力電圧Ｖ０は電圧Ｖ１とほぼ等しくなり、スイッチＳ２１及びＳ２２がオンの時は、出力電圧Ｖ０は電圧Ｖ２とほぼ等しくなる。
【００３１】
次に、トランジスタＭ３１、Ｍ３２のゲート端子のいずれか一方に電圧Ｖ１が与えられ、他方に電圧Ｖ２が与えられる場合（スイッチＳ１１及びＳ２２がオン、又はスイッチＳ１２及びＳ２１がオンの場合）について考える。
【００３２】
この場合、増幅回路が理想的なボルテージフォロワとして動作していると、出力電圧Ｖ０は、差動対Ｄ１、Ｄ２の出力電流Ｉ０＋、Ｉ０−が等しくなる（Ｉ０＋＝Ｉ０−）点で安定する。この時の出力電圧Ｖ０に与える入力電圧Ｖ１、Ｖ２の影響を求める。トランジスタＭ１、Ｍ２は共にゲート電圧（Ｖ１）が等しく、ドレイン電流（Ｉ０＋、Ｉ０−）も等しい。従って、トランジスタＭ１、Ｍ２のソース電圧Ｖｄ＋、Ｖｄ−も等しくなる。
【００３３】
トランジスタＭ３１、Ｍ４１、Ｍ３２、Ｍ４２に流れる電流をそれぞれＩ３１、Ｉ４１、Ｉ３２、Ｉ４２とすると以下の数式１、数式２が得られる。
【数１】
2011135157.tif 000003
【数２】
2011135157.tif 000004
【００３４】
Ｉ３１、Ｉ４１、Ｉ３２、Ｉ４２は、線形領域で動作しているトランジスタＭ３１、Ｍ４１、Ｍ３２、Ｍ４２のドレイン電流である。トランジスタＭ３１、Ｍ４１、Ｍ３２、Ｍ４２のソース電圧をＶｓ、閾値電圧をＶｔｈｎ、電圧電流変換利得をβとすると、以下の数式３が得られる。
【数３】
2011135157.tif 000005
【００３５】
数式３をＶ０について求めると、以下の数式４が得られる。
【数４】
2011135157.tif 000006
【００３６】
つまり、増幅回路は、電圧Ｖ１とＶ２の中間値の電圧を出力することができる。
【００３７】
このように、上記第１の実施形態に係る差動増幅回路を入力段として用いた増幅回路をボルテージフォロワ構成とすると、複数ある差動対内部のスイッチの状態に応じて、２つの入力電圧Ｖ１、Ｖ２のうちいずれか一方の電圧に等しい出力電圧を出力する状態と、２つの入力電圧Ｖ１、Ｖ２の中間値の電圧を出力する状態に切り替えることができる。
【００３８】
トランジスタＭ３１、Ｍ４１、Ｍ３２、Ｍ４２は線形領域で動作しており、飽和領域で動作しているトランジスタを使用する場合よりも、線形に動作する入力電圧範囲を大きく取ることできるため、入力電圧Ｖ１、Ｖ２の電圧差が大きい場合でも精度良く動作することができる。また、差動対の非線形性を補正する回路を追加する必要がないため、回路面積や消費電流の増加を防止できる。
【００３９】
上記第２の実施形態では、差動対を２つ設ける構成について説明したが、差動対を３つ以上設けてもよい。例えば、差動対を３つ設けた場合、２つの入力電圧間の１／３、２／３の電圧（Ｖ１＋（Ｖ２−Ｖ１）／３、Ｖ１＋２（Ｖ２−Ｖ１）／３）を出力することも可能となる。差動対の数に応じて、２つの入力電圧間の間で出力する電圧のレベルを変化させることができる。
【００４０】
（第３の実施形態）図３に本発明の第３の実施形態に係る増幅回路の概略構成を示す。この増幅回路は、図２に示す上記第２の実施形態に係る増幅回路に位相補償容量Ｃｃをさらに設けた構成となっている。容量Ｃｃは、出力端子Ｔ０と、トランジスタＭ１のソース端子との間に設けられる。
【００４１】
トランジスタＭ１のゲート端子には入力電圧Ｖ１が与えられているため、トランジスタＭ１のソース電圧は電圧Ｖ１の変化に追従して変化する。また、増幅回路はボルテージフォロワ構成であるため、出力電圧Ｖ０は２つの入力電圧Ｖ１、Ｖ２に追従して変化する。
【００４２】
大信号で入力電圧Ｖ１、Ｖ２が変化する場合は、位相補償容量Ｃｃの両端の端子の電圧が同位相で変化することになるため、通常のミラー容量による位相補償方法よりも、位相補償容量Ｃｃの駆動に必要な電流を減少させることができる。
【００４３】
（第４の実施形態）図４に本発明の第４の実施形態に係る液晶表示装置の概略構成を示す。液晶表示装置は、液晶ディスプレイパネル１００、液晶ディスプレイパネル１００を駆動するロウドライバ２００及びカラムドライバ３００を備える。液晶ディスプレイパネル１００には、画素毎に、赤、緑、青の各色に対応したセル１１０がマトリクス状に設けられている。
【００４４】
カラムドライバ３００は、抵抗ストリングＤ／Ａ変換器３１０、選択スイッチ回路３２０、及びバッファアンプ３３０を有する。バッファアンプ３３０は、液晶ディスプレイパネル１００内のセル１１０の各列に対応するように複数設けられている。抵抗ストリングＤ／Ａ変換器３１０の出力が、選択スイッチ回路３２０を介してバッファアンプ３３０でバッファされ、セル１１０に供給される。
【００４５】
ロウドライバ２００は、バッファアンプ３３０からの出力電圧をセル１１０の電極に印加するか否かを、スイッチＳＷのオンオフにより制御する。
【００４６】
図５にカラムドライバ３００の一部の拡大図を示す。バッファアンプ３３０には、図２に示す上記第２の実施形態に係る増幅回路、又は図３に示す上記第３の実施形態に係る増幅回路を適用する。
【００４７】
スイッチのオンオフを制御するＡ＋１ビットのデータ（ＤＡＴＡ［Ａ：０］）の下位Ｂビットがバッファアンプ３３０に与えられ、上位Ａ−Ｂビットが選択スイッチ回路３２０に与えられる（Ａ、Ｂは共に正の整数）。選択スイッチ回路３２０は、上位Ａ−Ｂビットの値に基づいて、抵抗ストリングＤ／Ａ変換器３１０から出力される複数の電圧のうちいずれか２つの電圧をバッファアンプ３３０に与える。バッファアンプ３３０は、下位Ｂビットの値に応じて出力電圧が調整される。例えば、下位Ｂビットの値に基づいて、図２、図３におけるスイッチＳ１１、Ｓ２１、Ｓ１２、Ｓ２２のオンオフが制御される。
【００４８】
抵抗ストリングＤ／Ａ変換器３１０から、選択スイッチ回路３２０を介して、バッファアンプ３３０へ２つの入力電圧を与えると、バッファアンプ３３０は上記第１、第２の実施形態で説明したように、２つの入力電圧の間の値を出力することができる。バッファとして動作している増幅回路（バッファアンプ３３０）は、デジタルアナログ変換機能の一部を持つことができる。そのため、本来のＤ／Ａ変換器３１０のビット数を削減することができ、カラムドライバ３００の面積を低減することができる。
【００４９】
また、バッファアンプ３３０内の差動対を構成するトランジスタ（図１〜図３参照）は線形領域で動作しているため、バッファアンプの２つの入力電圧の電圧差が大きい場合でも精度良く動作することができる。また、差動対の非線形性を補正する回路を追加する必要がないため、回路面積や消費電流の増加を防止できる。
【００５０】
このように、液晶ディスプレイパネル１００を駆動するカラムドライバ３００に上記実施形態に係る差動増幅回路を適用することで、カラムドライバ３００の回路面積や消費電流の増加を抑制し、かつＤＡＣ特性の劣化を防止できる。
【００５１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５２】
Ｄ１〜Ｄ４  差動対
Ｍ１〜Ｍ７  トランジスタ
Ｓ１、Ｓ２  スイッチ
Ｉ１、Ｉ２  電流源
１００  液晶ディスプレイパネル
２００  ロウドライバ
３００  カラムドライバ
【図１】
2011135157.tif 000007
【図２】
2011135157.tif 000008
【図３】
2011135157.tif 000009
【図４】
2011135157.tif 000010
【図５】
2011135157.tif 000011